【手続補正書】
【提出日】平成29年7月7日(2017.7.7)
【手続補正１】
【補正対象書類名】特許請求の範囲
【補正対象項目名】全文
【補正方法】変更
【補正の内容】
【特許請求の範囲】
【請求項１】
原稿の読み取りに基づいて得られる画像に、文字領域を特定するための所定の処理を行う処理手段と、文字認識処理を行う文字認識処理手段と、２値圧縮を行う２値圧縮手段と、を有する画像処理装置において、
前記処理手段が前記所定の処理を行うことで前記画像から特定された複数の文字領域それぞれに対して、当該文字領域が、２値圧縮が行われるべき文字領域であるかを判定する判定手段と、
複数の文字領域それぞれに対して前記文字認識処理手段による文字認識処理を行い、前記複数の文字領域のそれぞれに対する前記判定結果にしたがって、前記複数の文字領域のうち、２値圧縮が行われるべきであると判定された文字領域に対して、前記２値圧縮手段による２値圧縮を行うようにする制御手段と、
を有することを特徴とする画像処理装置。
【請求項２】
多値圧縮を行う多値圧縮手段を有し、
前記制御手段は、２値圧縮が行われるべきでないと前記判定手段によって判定された文字領域には、前記２値圧縮手段による２値圧縮を行わずに前記多値圧縮手段による多値圧縮を行うようすることを特徴とする請求項１に記載の画像処理装置。
【請求項３】
前記制御手段は、前記画像に対して、前記多値圧縮手段による多値圧縮を行うようにすることを特徴とする請求項２に記載の画像処理装置。
【請求項４】
前記判定手段は、背景と文字との濃度差が閾値未満である文字領域を、２値圧縮が行われるべきでない文字領域であると判定することを特徴とする請求項１乃至３の何れか１項に記載の画像処理装置。
【請求項５】
前記判定手段は、閾値以上に濃い背景を持つ部分の内部に当該背景よりも濃い文字が含まれる文字領域を、２値圧縮が行われるべきでない文字領域であると判定することを特徴とする請求項１乃至３の何れか１項に記載の画像処理装置。
【請求項６】
前記判定手段は、文字領域における閾値以上に濃い部分の内部に閾値個数以上のエッジ画素が含まれる場合に、当該文字領域を、２値圧縮が行われるべきでない文字領域であると判定することを特徴とする請求項１乃至３の何れか１項に記載の画像処理装置。
【請求項７】
前記判定手段は、文字領域における閾値以上に濃い部分の内部に前記閾値個数未満しかエッジ画素が含まれない場合に、当該文字領域を、２値画像が行われるべき文字領域であると判定することを特徴とする請求項６に記載の画像処理装置。
【請求項８】
前記制御手段は、少なくとも、前記複数の文字領域それぞれに対する文字認識処理の結果と、前記複数の文字領域のうちの該当文字領域に対する２値圧縮の結果と、前記画像を多値圧縮した結果とを、所定のフォーマットのファイルにまとめることを特徴とする請求項１乃至７の何れか１項に記載の画像処理装置。
【請求項９】
前記制御手段は、前記画像を多値圧縮した結果も、前記ファイルにまとめることを特徴とする請求項８に記載の画像処理装置。
【請求項１０】
前記ファイルを外部装置に送信する送信手段を有する請求項８または９に記載の画像処理装置。
【請求項１１】
原稿の読み取りに基づいて得られる画像に、文字領域を特定するための所定の処理を行う処理工程と、文字認識処理を行う文字認識処理工程と、２値圧縮を行う２値圧縮工程と、を有する画像処理方法において、
前記処理工程が前記所定の処理を行うことで前記画像から特定された複数の文字領域それぞれに対して、当該文字領域が、２値圧縮が行われるべき文字領域であるかを判定する判定工程と、
複数の文字領域それぞれに対して前記文字認識処理工程による文字認識処理を行い、前記複数の文字領域のそれぞれに対する前記判定結果にしたがって、前記複数の文字領域のうち、２値圧縮が行われるべきであると判定された文字領域に対して、前記２値圧縮工程による２値圧縮を行うようにする制御工程と、
を有することを特徴とする画像処理方法。
【請求項１２】
多値圧縮を行う多値圧縮工程を有し、
前記制御工程は、２値圧縮が行われるべきでないと前記判定工程によって判定された文字領域には、前記２値圧縮工程による２値圧縮を行わずに前記多値圧縮工程による多値圧縮を行うようすることを特徴とする請求項１１に記載の画像処理方法。
【請求項１３】
前記制御工程は、前記画像に対して、前記多値圧縮工程による多値圧縮を行うようにすることを特徴とする請求項１２に記載の画像処理方法。
【請求項１４】
前記判定工程は、背景と文字との濃度差が閾値未満である文字領域を、２値圧縮が行われるべきでない文字領域であると判定することを特徴とする請求項１１乃至１３の何れか１項に記載の画像処理方法。
【請求項１５】
前記判定工程は、閾値以上に濃い背景を持つ部分の内部に当該背景よりも濃い文字が含まれる文字領域を、２値圧縮が行われるべきでない文字領域であると判定することを特徴とする請求項１１乃至１３の何れか１項に記載の画像処理方法。
【請求項１６】
前記判定工程は、文字領域における閾値以上に濃い部分の内部に閾値個数以上のエッジ画素が含まれる場合に、当該文字領域を、２値圧縮が行われるべきでない文字領域であると判定することを特徴とする請求項１１乃至１３の何れか１項に記載の画像処理方法。
【請求項１７】
前記判定工程は、文字領域における閾値以上に濃い部分の内部に前記閾値個数未満しかエッジ画素が含まれない場合に、当該文字領域を、２値画像が行われるべき文字領域であると判定することを特徴とする請求項１６に記載の画像処理方法。
【請求項１８】
前記制御工程は、少なくとも、前記複数の文字領域それぞれに対する文字認識処理の結果と、前記複数の文字領域のうちの該当文字領域に対する２値圧縮の結果と、前記画像を多値圧縮した結果とを、所定のフォーマットのファイルにまとめることを特徴とする請求項１１乃至１７の何れか１項に記載の画像処理方法。
【請求項１９】
前記制御工程は、前記画像を多値圧縮した結果も、前記ファイルにまとめることを特徴とする請求項１８に記載の画像処理方法。
【請求項２０】
前記ファイルを外部装置に送信する送信工程を有する請求項１８または１９に記載の画像処理方法。
【請求項２１】
請求項１１乃至２０の何れか１項に記載の画像処理方法をコンピュータに実行させるためのプログラム。
【手続補正２】
【補正対象書類名】明細書
【補正対象項目名】０００７
【補正方法】変更
【補正の内容】
【０００７】
しかしながら、従来技術では、複数の文字領域それぞれに対して、当該文字領域が、２値圧縮が行われるべき文字領域であるかを判定し、それら複数の文字領域それぞれに対して文字認識処理を行い、かつ、それら複数の文字領域のそれぞれに対する前記判定結果にしたがって、それら複数の文字領域のうち、２値圧縮が行われるべきであると判定された文字領域に対して、２値圧縮を行うようにはしていなかった。
【手続補正３】
【補正対象書類名】明細書
【補正対象項目名】０００８
【補正方法】変更
【補正の内容】
【０００８】
本発明の画像処理装置は、原稿の読み取りに基づいて得られる画像に、文字領域を特定するための所定の処理を行う処理手段と、文字認識処理を行う文字認識処理手段と、２値圧縮を行う２値圧縮手段と、を有する画像処理装置において、前記処理手段が前記所定の処理を行うことで前記画像から特定された複数の文字領域それぞれに対して、当該文字領域が、２値圧縮が行われるべき文字領域であるかを判定する判定手段と、複数の文字領域それぞれに対して前記文字認識処理手段によって文字認識処理を行い、前記複数の文字領域のそれぞれに対する前記判定結果にしたがって、前記複数の文字領域のうち、２値圧縮が行われるべきであると判定された文字領域に対して、前記２値圧縮手段による２値圧縮を行うようにする制御手段と、を有することを特徴とする。
【手続補正４】
【補正対象書類名】明細書
【補正対象項目名】０００９
【補正方法】変更
【補正の内容】
【０００９】
複数の文字領域それぞれに対して文字認識処理を行い、かつ、それら複数の文字領域のうち、２値圧縮が行われるべきであると判定された文字領域に対して、２値圧縮に行うことができる。